(57)【要約】      （修正有）【課題】足入れサイズ及び販売者が用意する商品のサイズに対応するワイズをスケール表示可能な足計測器を提供する。【解決手段】足計測器１は、被計測者の片足が入るスペースを有した箱型の計測ボックス２と、計測ボックス２内に収納された状態で足幅方向に移動可能な長方形の箱型を成したスライダ４を備える。計測ボックス２内には、足長計測用の計測指標、左右の足パターン３２，３３、「足長−足幅被表」が印刷された第一の計測用スケール３が敷かれ、スライダ４内には、計測した足長に対応する足幅値を特定して計測者等に見せる右足用及び左足用の窓部５１ａ等を有する第二の計測用スケール５が敷かれている。【選択図】図１
0003178434.tif 000002
【実用新案登録請求の範囲】
【請求項１】
被計測者の片足を収容可能なスペースを有する箱型の計測ボックスと、
前記計測ボックス内に置かれた前記被計測者の足幅方向と平行な方向に移動可能であって、前記被計測者の片足に当接可能に前記計測ボックス内に配置されたスライダと、
を備え、
前記計測ボックスは、
前記被計測者の足長及び足幅を計測するための計測指標と、足幅に対するワイズ（幅）を足長ごとに特定するためのワイズ指標と、を備えた第一の計測用スケールを有し、
前記スライダは、
前記被計測者の片足に当該スライダを当接させたときに前記第一の計測用スケールから前記被計測者の足幅及び足長に対応するワイズ指標を読み取るためのカーソル線が設けられた窓部を備えた第二の計測用スケールを有し、
前記計測ボックス内に置かれた前記被計測者の片足に前記スライダを平行移動させることによって当接させた状態で、前記スライダの前記窓部から見える前記第一の計測用スケールと前記カーソル線が重なる部分を読み取ることにより前記被計測者の足の計測を行うことを特徴とする足計測器。
【請求項２】
請求項１に記載の足計測器において、
前記第一の計測用スケールは、
前記計測ボックスの壁面に前記被計測者の左右の足の踵を当接させた状態において足長を示す数値に対する目盛り線が被計測者の足幅方向に伸びるようにして設けられると共に、足長に対するワイズ（幅）を特定するための前記ワイズ指標が前記被計測者の足幅に対応する位置に配置されていることを特徴とする足計測器。
【請求項３】
請求項１又は２に記載の足計測器において、
前記第一の計測用スケール及び／又は第二の計測用スケールは、シートに印刷され、交換可能とされていることを特徴とする足計測器。
【請求項４】
請求項３に記載の足計測器において、
前記第一の計測用スケール及び第二の計測用スケールは、靴ごとに予め用意された足入れサイズ及びワイズ（幅）の異なる複数のバリエーションに応じて作成され、前記ワイズ指標を予め用意された複数のバリエーションに対応して区分して表示することにより予め用意された複数のバリエーションの中から最適な靴を選択できるようにしたことを特徴とする足計測器。
【請求項５】
請求項１から４のいずれか１項に記載の足計測器において、
前記第一の計測用スケールは、左足計測用と右足計測用とが互いに反対向きに配置されると共に、左右の足裏の輪郭線によって示されるガイドを備えていることを特徴とする足計測器。
【考案の詳細な説明】
【技術分野】
【０００１】
本考案は、足にフィットする靴を選ぶ際の目安となる足長、足幅等のサイズを計測するための足計測器に関し、さらには構成及び操作が簡単な足計測器に関する。
【背景技術】
【０００２】
スニーカ、革靴、ウォーキングシューズ等の靴は使用者の足にぴったりとフィットすることが重要である。足にフィットしない靴を履いた場合には靴擦れを生じたり、足の指の爪を傷めたり、外反母趾等の深刻な障害を発生させる等の様々なトラブルを生じさせる。靴のサイズについては「ＪＩＳ−Ｓ５０３７」において規格が制定されている。この規格の特徴はサイズの基準を「足入れサイズ」（履く人の足の寸法）としたことにあり、靴のサイズを足長（そくちょう）、足囲（そくい）み及び足幅（そくふく）の３つの要素で規定している。さらに、「ＪＩＳ−Ｓ５０３７」ではサイズ表示を「男子用」、「女子用」、「子供用」の３種類に分けている。尚、子供用は１１歳以下と規定されている。
【０００３】
「足長」は水平なところに直立し、両足を並行に肩幅程度に開いて、平均に体重をかけた姿勢時のかかとの後端から、最も長い足趾の前端までの長さである。尚、足長は足趾の先端とかかととの“投影寸法”であって、足の接地面の寸法ではない。また、「足囲」は足長計測と同じ姿勢で、足の踏み付け部の親趾と小趾のそれぞれの付け根を取り巻く長さである。さらに、「足幅」は足長計測と同じ姿勢で、親趾側と小趾側のそれぞれ最も突出した点を直線で結んだ長さである。
【０００４】
上記した足長、足囲及び足幅の最も簡単な計測法はメジャーを用いて測定することである。しかし、それでは時間がかかるし計測者による計測誤差も生じやすい。そこで、より簡単に計測するための装置が提案されている。例えば、特許文献１に示される足計測器は、身長計測器の足台に取り付けられ、足の側辺に当接可能な板状片を幅方向に移動可能な幅スライドと、足のつま先に当接可能な板状片を長さ方向に移動可能な長さスライドとによって足の長さと幅を計測する構成である。身長の計測と同時に足の計測を行うことを特徴としている。
【０００５】
また、特許文献２には、位置決め部材に入れられた足を所定の位置に位置決めする位置決め部材、複数のディジタルカメラで複数の方向から撮影する撮影ユニット、甲の部分を当接させた状態で空中に浮くように足を位置決めする位置決め部材、この位置決め部材及び複数のディジタルカメラを固定保持するための保持具等を備えることで、複数のディジタルカメラを撮影の妨げにならないようにし、且つ撮影時の足の動きを抑制することができるようにした足測定装置が示されている。この装置によれば、煩雑なメジャー測定作業等を行うことなく正確に足の形状を測定することができる。
【先行技術文献】
【特許文献】
【０００６】
【特許文献１】特開２００２−６２１０１号公報
【特許文献２】特開２００２−２９１５０２号公報
【考案の概要】
【考案が解決しようとする課題】
【０００７】
しかし、上述の従来の足計測器はメジャーを用いずに足の長さと幅の二点を計測でき、また、カメラ撮影によりメジャー測定作業を不要にできるものの、装置が複雑で簡便性がなく、また、ＪＩＳで定めるワイズ（幅）を足幅から簡単に把握することが難しい。例えば、ＪＩＳでは、成人女性の場合、ワイズ（幅）として９段階（Ａが最も幅が狭く、Ｆが最も幅が広い）が設定されているが、従来の足計測器の場合、計測者が計測後のデータからどのワイズ（幅）が適しているのかを簡単に知ることができない。
【０００８】
そこで、本考案の目的は、簡単な構成でありながら、足長（足入れサイズ）、足囲、及びＪＩＳに規定されるワイズ（幅）を知ることが可能な足計測器を提供することにある。
【課題を解決するための手段】
【０００９】
上記目的を達成するため、請求項１に記載の本考案は、被計測者の片足を収容可能なスペースを有する箱型の計測ボックスと、前記計測ボックス内に置かれた前記被計測者の足幅方向と平行な方向に移動可能であって、前記被計測者の片足に当接可能に前記計測ボックス内に配置されたスライダとを備え、前記計測ボックスは、前記被計測者の足長及び足幅を計測するための計測指標と、足幅に対するワイズ（幅）を足長ごとに特定するためのワイズ指標と、を備えた第一の計測用スケールを有し、前記スライダは、前記被計測者の片足に当該スライダを当接させたときに前記第一の計測用スケールから前記被計測者の足幅及び足長に対応するワイズ指標を読み取るためのカーソル線が設けられた窓部を備えた第二の計測用スケールを有し、前記計測ボックス内に置かれた前記被計測者の片足に前記スライダを平行移動させることによって当接させた状態で、前記スライダの前記窓部から見える前記第一の計測用スケールと前記カーソル線が重なる部分を読み取ることにより前記被計測者の足の計測を行うことを特徴とする。
【００１０】
上記目的を達成するため、請求項２に記載の本考案は、請求項１に記載の足計測器において、前記第一の計測用スケールは、前記計測ボックスの壁面に前記被計測者の左右の足の踵を当接させた状態において足長を示す数値に対する目盛り線が被計測者の足幅方向に伸びるようにして設けられると共に、足長に対するワイズ（幅）を特定するための前記ワイズ指標が前記被計測者の足幅に対応する位置に配置されていることを特徴とする。
【００１１】
上記目的を達成するため、請求項３に記載の本考案は、請求項１又は２に記載の足計測器において、前記第一の計測用スケール及び／又は第二の計測用スケールは、シートに印刷され、交換可能とされていることを特徴とする。
【００１２】
上記目的を達成するため、請求項４に記載の本考案は、請求項３に記載の足計測器において、前記第一の計測用スケール及び第二の計測用スケールは、靴ごとに予め用意された足入れサイズ及びワイズ（幅）の異なる複数のバリエーションに応じて作成され、前記ワイズ指標を予め用意された複数のバリエーションに対応して区分して表示することにより予め用意された複数のバリエーションの中から最適な靴を選択できるようにしたことを特徴とする。
【００１３】
上記目的を達成するため、請求項５に記載の本考案は、請求項１から４のいずれか１項に記載の足計測器において、前記第一の計測用スケールは、左足計測用と右足計測用とが互いに反対向きに配置されると共に、左右の足裏の輪郭線によって示されるガイドを備えていることを特徴とする。
【考案の効果】
【００１４】
本考案に係る靴の足計測器によれば、計測ボックスに入れた足の足幅にスライダを合わせる簡単な構成により、足長（足入れサイズ）、足幅及びワイズ（幅）を簡便に知ることができるという効果がある。
【００１５】
また、構成が簡単で操作も簡単なことから設置スペースが不要で安価にできるため、小売店等への導入が容易になるという効果がある。
【図面の簡単な説明】
【００１６】
【図１】本考案に係る足計測器の斜視図である。
【図２】本考案に係る足計測器の平面図である。
【図３】（ａ）は図１に示す足計測器の計測ボックスの構成を示す斜視図、（ｂ）はスライダの構成を示す斜視図である。
【図４】計測ボックスの底面に設けられた計測用スケールの詳細を示す平面図である。
【図５】第一の計測用スケールに表記された大人用のワイズ指標を示す図である。
【図６】第一の計測用スケールに表記された子供用のワイズ指標を示す図である。
【図７】スライダの底面に設けられた第二の計測用スケールの詳細を示す平面図である。
【図８】本考案に係る足計測器の使用法を示す説明図である。
【図９】図８に続く使用法を示す説明図である。
【考案を実施するための形態】
【００１７】
［足計測器の構成］
以下、本考案に係る足計測器を好ましい実施形態に基づいて詳細に説明する。図１は本考案に係る足計測器の実施形態を示す斜視図である。図示された足計測器１は、概略として、上面が開口した直方体形状の箱型に形成された計測ボックス２と、計測ボックス２内を平行移動可能に収納される上面が開口された縦長の直方体形状の箱型に形成されたスライダ４を備えて構成されている。計測ボックス２の底面には後述する第一の計測用スケール３が配置され、スライダ４の底面には後述する第二の計測用スケール５が配置されている。
【００１８】
計測ボックス２は、例えば全体が合成樹脂製によって形成されており、その大きさは、例えば外形が３４０（縦）×２００（横）×５０（高さ）ｍｍ、内寸法が３３０（縦）×１９０（横）×４５（高さ）ｍｍ、そして厚みが５ｍｍである。計測ボックス２の大きさはこれに限定されるものではなく、要するに計測ボックス２内に足の大きな人（最大足長３３０ｍｍ）でもその足を収容することが可能な大きさとなっていればよい。また、計測ボックス２を形成するための材料は合成樹脂に限定されるものではなく、金属製、木製等であっても構わない。そして、計測ボックス２内に配置された第一の計測用スケール３上にスライダ４が配置される。このスライダ４は、計測ボックス２内へ自由に出し入れすることができると共に、計測ボックス２内を図１に示す矢印Ａ，Ｂ方向（足幅方向）へ平行移動させることができるようになっている。
【００１９】
第一の計測用スケール３は、図４に示すように、足長方向へ０．５ｃｍ単位に右足用、左足用の計測指標３１ａ，３１ｂがそれぞれ青色と赤色とに色分けされて互いに反対方向を向くようにして描かれた印刷面を備えている。尚、図４では図が煩雑となるため足長は便宜上１．０ｃｍ単位で示している。そして、計測指標３１ａ，３１ｂに重ねて赤色で描かれた右足パターン３２と青色で描かれた左足パターン３３が足の輪郭線として印刷されている。また、図５に示すように、右足パターン３２及び左足パターン３３に隣接させてワイズ指標３４ａ，３４ｂが左右にそれぞれ設けられている。ワイズ指標３４ａ，３４ｂは、足幅に対するワイズ（幅）を足長ごとに特定するための指標であり、ＪＩＳで定めるワイズ（幅）が足長ごとに示されている。ＪＩＳで定めるワイズ（幅）は、男子用はＡ・Ｂ・Ｃ・Ｄ・Ｅ・ＥＥ・ＥＥＥ・ＥＥＥＥ・Ｆ・Ｇの１０段階、女子用はＡ・Ｂ・Ｃ・Ｄ・Ｅ・ＥＥ・ＥＥＥ・ＥＥＥＥ・Ｆの９段階、子供用はＢ・Ｃ・Ｄ・Ｅ・ＥＥ・ＥＥＥ・ＥＥＥＥ・Ｆ・Ｇの９段階で示される。そして、ワイズ指標３４ａ，３４ｂに隣接させて足計測器１の使用方法を示す説明文３５が印刷されている。第一の計測用スケール３は、特に材質を限定するものではないが、好ましく合成樹脂製の表面に印刷面を形成するとよい。また、紙に印刷面を形成したものをラミネート加工することにより形成することもできる。
【００２０】
ワイズ指標３４ａ，３４ｂは、図５（左足用）に示すように、縦軸が計測指標３６ａ，３６ｂによる足長（ＰＴ）を示し、横軸が計測指標３７による足幅（ＭＦ）を示している。そして、足幅に対するワイズ（幅）が足長ごとに示されている。尚、足長２１．０ｃｍから２７．０ｃｍにおけるワイズ（幅）は２列設けられているが、右側が男子用で左側が女子用である。例えば、被計測者が男子の場合、足長が２６．０ｃｍで足幅が１０．２ｍｍの場合にはワイズ（幅）は「Ｅ」となる。ここで、靴を提供するに際して足長とその足長に対するワイズ（幅）の全ての組み合わせを用意するのは実際上困難である。そのため、足長に対するワイズ（幅）を、例えば、Wide（広幅）、Middle（中幅）、Narrow（狭幅）の３つのタイプを用意し、あとは靴紐や中敷き等を用いることでフィット感を調整することが行われている。そこで、予め用意された複数のバリエーションの中から最適な靴を容易に選択できるようにワイズ指標３４ａ，３４ｂを区分して表示している。図５では、ワイズ（幅）が広い方から緑色、青色、赤色によってWide（広幅）、Middle（中幅）、Narrow（狭幅）の３段階に色分けして表記されている。尚、図５では３区分の色分けを破線による区分で示しているが、区分は色分けではなく実際も破線等で区分することもできる。また、右足用は、図４に示すように、男子用のＡ〜Ｇ及び女子用のＡ〜Ｆが右下がりとなるのみでその内容は左足用と同じであるため説明は省略する。
【００２１】
また、子供用ワイズ指標４０は、図６に示すように、縦軸が計測指標３８ａ，３８ｂによる足長を示し、横軸が計測指標３９による足幅を示し、これらに対するワイズ（幅）は９段階であり、男女の区別はなく、赤色と青色によってダブルインソール（狭幅）とシングルインソール（中幅）との２つに区分されて色分け表示されている。尚、図６では２区分の色分を破線による区分で示している。子供用ワイズ指標４０も左足用は足幅（ワイズ）が左下がりになるのみでその内容は右足用と同じであるため説明は省略する。また、子供用ワイズ指標４０用のスライダ４内に敷かれる計測用スケールは第二の計測用スケール５とは窓部５１ａ，５１ｂの位置や長さが異なるほか、足長の数値が１４〜２６．０ｃｍである等の違いがあるが、全体の構成に違いはない。
【００２２】
次に、図３（ｂ）に示すスライダ４について説明する。スライダ４は計測ボックス２と同様に全体が合成樹脂により形成され、例えば、内寸法が３２０（縦）×５０ｍｍ（横）×４０（高さ）ｍｍ、また、外寸法が３３０（縦）×６０（横）×４５（高さ）ｍｍ、厚み５ｍｍの上面が開口した直方体形状とされている。そして、スライダ４の底面に第二の計測用スケール５が配置される。尚、スライダ４の計測ボックス２内に配置された第一の計測用スケール３と接触する面には図示しない摩擦軽減部材、例えば、フェルト片が貼付されており、スライダ４が計測ボックス２内を円滑に移動できるようになっている。尚、本実施形態のスライダ４は、後述する第二の計測用スケール５の窓部５１ａ，５１ｂから第一の計測用スケールに設けられた計測指標３１ａ，３１ｂ及びワイズ指標３４ａ，３４ｂとカーソル線５３が交わる部分を確認する必要があるため少なくとも窓部５１ａ，５１ｂに対応する部分が透明となるように全体を透明な合成樹脂で形成している。尚、計測ボックス２は透明でなくても良いがスライダ４と同様に透明な合成樹脂で形成しても良い。また、スライダ４の窓部５１ａ，５１ｂに対応する部分を開口させればスライダ４を形成する材質は特に限定されるものではない。
【００２３】
第二の計測用スケール５は、図７に示すように長方形に開口された窓部５１ａ，５１ｂが第一の計測用スケール３のワイズ指標３４ａ，３４ｂの上部に位置するようにして長手方向のそれぞれ２箇所に設けられている。尚、窓部５１ａ，５１ｂのそれぞれの側部には足長目盛り５２ａ，５２ｂが０．５ｍｍ間隔で目盛られている。第二の計測用スケール５は第一の計測用スケール３と同様の材質で形成することができる。また、窓部５１ａ，５１ｂの中央には長手方向にカーソル線５３が設けられている。第二の計測用スケール５は、第一の計測用スケール３に対応して作成されるので、第一の計測用スケール３及び第二の計測用スケール５は靴の設計に応じて用意されることになるので靴ごとに専用のものが用意されることとなる。
【００２４】
［足計測器の使用方法］
次に、足計測器１の使用方法について説明する。図８及び図９は足計測器１の使用法を示す説明図である。まず、図１及び図２に示した足計測器１を用意する。そして、スライダ４を第一の計測用スケール３に描かれている右足パターン３２及び左足パターン３３から遠ざかる方向へ移動させ、計測ボックス２への被計測者の足を入れるためのスペースを確保する。次いで、被計測者は図８（ａ）に示すように、左の足６（ここでは女性の左足とする）を左足パターン３３上に載せ、踵を図２に示す「左足のかかと」と記載された近傍の計測ボックス２の内壁に接触させる。ここで計測者（計測者がいない場合は被計測者）は、図８（ｂ）に示すように、足６のつま先（最も長い指）が第一の計測用スケール３の計測指標３１ａ上のどこにあるかを読み取る。その読み取り値（ここでは２３．５ｍｍとする）が足長（ＡＰ）となる。
【００２５】
次に、計測者は、図９（ａ）に示すように手７ａ，７ｂでスライダ４を足６側へ移動させ、足６の側面（子指の付け根部分）にスライダ４の側面を当接させる。その状態を維持したまま、つま先から矢印Ｄの示す方向を見る。すなわち、スライダ４の窓部５１ａ（左足用）の「２３．５」とカーソル線５３が交わる部分を見る。すると、カーソル線５３の直下には図９（ｂ）の矢印Ｅで示すように「Ｄ」が重なっている。そして、「２３．５」に対する「Ｄ」は色分けよって３に区分した中の「青色」の「Middle」に含まれることから、足６はワイズ指標３４ａの「２３．５ Middle」に相当することが分かる。尚、図９では３区分の色分を破線による区分で示している。さらに、計測者はスライダ４の窓部５１ａ（左足用）のカーソル線５３の延長線上を見る。すると、図９（ｃ）に示すように、第一の計測用スケール３のワイズ指標３４ａの計測指標３６ａで示される足幅（ＭＦ）の数値が見える。この場合、図９（ｃ）に示すように、足幅（ワイズ）は９．３ｃｍである。従って、この場合、被計測者の左足の足長は２３．５ｃｍ、足幅が９．３ｃｍであり、この計測値に対応する靴のワイズ（幅）が「Ｄ」でMiddle（中幅）であることがわかる。これにより、被計測者は足長２３．５ｃｍでMiddle（中幅）のものを選択すれば良い。以上は左足についてであるが、右足は左足とは足を入れる向きが逆になるのみで他は同じであるのでその説明は省略する。
【００２６】
［実施形態の効果］
本実施形態に係る足計測器によれば、第一の計測用スケール３に印刷された計測指標３１ａ，３１ｂによって足長及び足幅を計測でき、また、計測ボックスに入れた足の足幅にスライダを合わせて窓部５１ａ，５１ｂから見えるワイズ指標３４ａ，３４ｂを参照するのみで、簡単に足入れサイズ及びワイズ指標３４ａ，３４ｂを知ることができるという効果がある。また、ワイズ指標３４ａ，３４ｂを靴のバリエーションに合わせて区分したので自分に合ったサイズの商品を容易に選択することができるという効果がある。
【００２７】
また、構成が簡単で操作も簡単なことから設置スペースが不要で安価にできるため、小売店等への導入が用意になるという効果がある。
【００２８】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。例えば、第一の計測用スケール３及び第二の計測用スケール５は計測ボックス２及びスライダ４の底面に直接印刷してもよい。
【００２９】
また、スライダ４は上面が開口した状態で計測ボックス２内に配設したが、第二の計測用スケール５を貼付するなどにより、スライダ４を上下逆さにする配置も可能である。
【符号の説明】
【００３０】
１      足計測器
２      計測ボックス
３      計測用スケール
４      スライダ
５      第二の計測用スケール
６      足
３１ａ，３１ｂ      計測指標
３２      右足パターン
３３      左足パターン
３４ａ，３４ｂ      ワイズ指標
３５      説明文
３６ａ，３６ｂ，３７      計測指標
３８ａ，３８ｂ，３９      計測指標
４０      子供用ワイズ指標
５１ａ，５１ｂ      窓部
５２ａ，５２ｂ      足長目盛り
５３      カーソル線
【図１】
0003178434.tif 000003
【図２】
0003178434.tif 000004
【図３】
0003178434.tif 000005
【図４】
0003178434.tif 000006
【図５】
0003178434.tif 000007
【図６】
0003178434.tif 000008
【図７】
0003178434.tif 000009
【図８】
0003178434.tif 000010
【図９】
0003178434.tif 000011